(57)【要約】【課題】スライドカバー装置ひいては携帯電話端末の意匠を損なうことなく、その小型化を図る。【解決手段】スライドカバー装置５０は、カメラ部５３に対してスライド開閉可能なカバー５１を有する。カバー両側に沿って伸びる１対のアーム部材６３は、カバー５１をその裏面の両側部で支持する。フレーム部７０は、１対のアーム部材６３を予め定められたスライド経路に従ってスライド可能に支持する。このフレーム部に固定された筐体表面部材５５は、閉鎖位置のカバーの表面と同じ面位置の表面を有する。カバー５１を閉鎖位置から開放位置へ移動させるとき、フレーム部７０の側壁７２に設けられたカム溝７１によるスライド経路に従って、アーム部材６３が筐体表面部材５５の下側に滑り込むとともに、カバー５１が筐体表面部材５５の上に乗り上げる。【選択図】図７
2009272908.tif 000002
【特許請求の範囲】
【請求項１】
カメラ部と、
このカメラ部に対してスライド開閉可能なカバーを有するスライドカバー装置とを備え、
このスライドカバー装置は、
カバーをその裏面の両側部で支持しカバー両側に沿って伸びる１対のアーム部材と、
この１対のアーム部材を予め定められたスライド経路に従ってスライド可能に支持するフレーム部と、
このフレーム部に固定され閉鎖位置のカバーの表面と同じ面位置の表面を有する筐体表面部材とを有し、
カバーを閉鎖位置から開放位置へ移動させるとき、前記１対のアーム部材が前記筐体表面部材の下側に滑り込むとともに、カバーが前記筐体表面部材の上に乗り上げるよう、前記スライド経路が形成された
携帯端末装置。
【請求項２】
前記スライド経路は、前記カバーが閉鎖位置から開放位置へ移行する際、前記カバーを一旦浮上させたあと、前記筐体表面部材の表面に平行に移動させるよう形成された請求項１に記載の携帯端末装置。
【請求項３】
前記１対のアーム部材の各々はその外側壁面の２箇所に突起部を有し、前記フレーム部はその両側部の内側壁面に前記１対のアーム部材の突起部を収納して案内するカム溝を有する請求項１または２に記載の携帯端末装置。
【請求項４】
前記カム溝は各突起部に対応して１個設けられた請求項３に記載の携帯端末装置。
【請求項５】
前記１対のアーム部材に対して前記カバーを閉鎖する方向へ常時付勢力を与えるとともにカバー開放位置でカバーをロックする付勢・ロック機構を前記筐体表面部材の裏側に配置した請求項１に記載の携帯端末装置。
【請求項６】
閉鎖位置と開放位置との間でスライド開閉可能なカバーと、
このカバーをその裏面の両側部で支持しカバー両側に沿って伸びる１対のアーム部材と、
この１対のアーム部材を予め定められたスライド経路に従ってスライド可能に支持するフレーム部と、
このフレーム部において、閉鎖位置にあるカバーと隣接して固定され、カバーの表面と同じ面位置の表面を有する筐体表面部材とを備え、
カバーを閉鎖位置から開放位置へ移行させるとき、前記１対のアーム部材が前記筐体表面部材の下側に滑り込むとともに、カバーが前記筐体表面部材の上に乗り上げるよう、前記スライド経路が形成された
スライドカバー装置。
【請求項７】
前記スライド経路は、前記カバーが閉鎖位置から開放位置へ移行する際、前記カバーを一旦浮上させたあと、前記筐体表面部材の表面に平行に移動させるよう形成された請求項６に記載のスライドカバー装置。
【請求項８】
前記１対のアーム部材の各々はその外側壁面の２箇所に突起部を有し、前記フレーム部はその両側部の内側壁面に前記１対のアーム部材の突起部を収納して案内するカム溝を有する請求項６または７に記載のスライドカバー装置。
【請求項９】
前記カム溝は各突起部に対応して１個設けられた請求項８に記載のスライドカバー装置。
【請求項１０】
前記１対のアーム部材に対して前記カバーを閉鎖する方向へ常時付勢力を与えるとともにカバー開放位置でカバーをロックする付勢・ロック機構を前記筐体表面部材の裏側に配置した請求項６に記載のスライドカバー装置。
【発明の詳細な説明】
【技術分野】
【０００１】
本発明は、閉鎖位置と開放位置との間でスライド開閉可能なカバーを有する携帯端末装置およびスライドカバー装置に関する。
【背景技術】
【０００２】
図１に従来技術におけるデジタルカメラの従来例Ａの機構構成概念を示す。従来例ＡはカメラＣを内蔵し、そのレンズ保護のためにスライド開閉可能なカバーＡ１を有し、カメラ不使用時にはＡ２位置で閉鎖している。カバーＡ１をスライド動作させてＡ３位置に移るとカメラレンズが現れて撮影可能となる。カバーＡ１は筐体表面の面位置から常に突出しており、セット最大厚み部を構成している。従って、使用者からはカバーＡ１は突出部とみなされ、意匠面において装置をコンパクトですっきりした外観とすることができない。このため、カバーＡ１が突出せずに構成できることが望ましい。
【０００３】
一方、図２に携帯電話端末における従来例Ｂの機構構成の概念図を示す。従来例Ａと同様、スライド動作するカバーＢ１を有する。携帯電話端末の場合、一般にデジタルカメラよりも筐体の幅が小さく、その分だけカバーのサイズも小さくなる。
【０００４】
ここで、従来例Ａおよび従来例Ｂのカバー部の突出構造を排し、カバー閉鎖時にはカバーが製品面と同一の面位置になるフラット構造を考える。図３にデジタルカメラに類似する装置Ｄを示す。カバーＤ１はその表面が筐体の表面と同一面Ｄ２となるように構成され、カメラＣが使用可能になるスライド量ｆ１を移動して撮影可能位置となる。この時、スライド量ｆ１としてはカメラＣの使用可能量だけを考慮すればよい。装置Ｄでは、そのスライド方向全長ｆ２に対してカバーＤ１の開閉に関係なく常にカバーＤ１により遮蔽される領域Ｄ３（距離ｆ３）を確保している。この遮蔽領域Ｄ３にカバーＤ１のスライド機構およびストッパー等を設置することができ、その結果、内部機構が遮蔽され、使用者から視認されることがない。従って、意匠を損なうこと無くフラット位置Ｄ２からカバーＤ１を浮上させて開放位置へと移動させる機構を構成することが出来る。
【０００５】
次に、図４に装置Ｄと基本的に同一の構造を使用して、カメラＣを搭載した携帯電話端末に相当する装置Ｅを示す。上述のとおり、携帯電話端末の場合、一般にデジタルカメラよりも筐体の幅が小さく、その分だけカバーのサイズも小さくなる。閉鎖位置にあるカバーＥ１は筐体の表面と同一面位置を有するフラット面Ｅ２を構成される。しかしながら、カメラＣが使用可能となるストロークｇ１を移動するとき、筐体スライド方向全長ｇ２が短いため、装置Ｄのｆ３に相当する遮蔽領域を確保することが困難となる。また、確保できたとしても内部機構を遮蔽するには足りない。
【０００６】
このように、カバーのスライド量ｆ１とｇ１は同等量が必要とされるのに対し、両者の全長は装置Ｅの方が小さい。そのため、装置Ｅでは装置Ｄと同様の常に遮蔽される機構構成領域を確保することが困難である。
【０００７】
なお、この問題の解決策として装置Ｅでは使用するカメラＣを小型化することが考えられるが、その場合、撮影品質、ズーム等の機能低下を伴うという別の問題が生じる。
【発明の開示】
【発明が解決しようとする課題】
【０００８】
従来のスライド機構等の内部機構は、いずれも、カバー面に平行な平面内に広がった領域を占有する構造のものであり、カバーの移動ストローク量によってはカバー開放時に内部機構が露出するおそれがあった。
【０００９】
以上のように、従来、カバー閉鎖状態での筐体面からのカバーの突出を防止しつつ、カバー開放時の内部機構の露出を防止し、かつ、スライドカバー装置の小型化を図る、という要求を満たすことは困難であった。
【００１０】
本発明はこのような背景においてなされたものであり、スライドカバー装置ひいては携帯電話端末の意匠を損なうことなく、その小型化を図ろうとするものである。
【課題を解決するための手段】
【００１１】
本発明による携帯端末装置は、カメラ部と、このカメラ部に対してスライド開閉可能なカバーを有するスライドカバー装置とを備え、このスライドカバー装置は、カバーをその裏面の両側部で支持しカバー両側に沿って伸びる１対のアーム部材と、この１対のアーム部材を予め定められたスライド経路に従ってスライド可能に支持するフレーム部と、このフレーム部に固定され閉鎖位置のカバーの表面と同じ面位置の表面を有する筐体表面部材とを有し、カバーを閉鎖位置から開放位置へ移動させるとき、前記１対のアーム部材が前記筐体表面部材の下側に滑り込むとともに、カバーが前記筐体表面部材の上に乗り上げるよう、前記スライド経路が形成されたものである。
【００１２】
このように、本発明では、カバーをスライド開閉する機構をカバーの側部に設けることを可能としたので、従来のカバー面に平行な平面内に広がった構造のものに比べて、スライド機構の厚みを元々のフレーム部の厚みに吸収させることができる。また、カバー部の裏面の両側部に設けた１対のアーム部材をフレーム部の両側部で支持することにより、閉鎖時のカバーの裏側に位置する被保護領域は、カバーの開閉に関わらず、カバー以外の内部機構で覆われることがない。よって、内部の機構を露出することなく、カバーの移動量を比較的大きく確保することができる。
【００１３】
前記スライド経路は、前記カバーが閉鎖位置から開放位置へ移行する際、上述のように前記カバーを一旦浮上させたあと、前記筐体表面部材の表面に平行に移動させるよう形成することができる。これにより、閉鎖時のカバーの面位置を筐体表面部材の面位置と一致させることが容易となる。
【００１４】
前記１対のアーム部材に対して前記カバーを閉鎖位置方向へ常時付勢力を与えるとともにカバー開放位置でカバーをロックする付勢・ロック機構を前記筐体表面部材の裏側に配置することができる。これにより、付勢・ロック機構は常時筐体表面部材の裏側に位置するので、使用者の目に触れることがない。
【００１５】
本発明によるスライドカバー装置は、閉鎖位置と開放位置との間でスライド開閉可能なカバーと、このカバーをその裏面の両側部で支持しカバー両側に沿って伸びる１対のアーム部材と、この１対のアーム部材を予め定められたスライド経路に従ってスライド可能に支持するフレーム部と、このフレーム部において、閉鎖位置にあるカバーと隣接して固定され、カバーの表面と同じ面位置の表面を有する筐体表面部材とを備え、カバーを閉鎖位置から開放位置へ移行させるとき、前記１対のアーム部材が前記筐体表面部材の下側に滑り込むとともに、カバーが前記筐体表面部材の上に乗り上げるよう、前記スライド経路が形成されたものである。このスライドカバー装置についても、上記携帯端末装置について説明したものと同様の作用効果が得られる。
【００１６】
本発明の他の構成および作用効果については以下に説明する。
【発明の効果】
【００１７】
本発明によれば、装置筐体面から突出したカバー構造を採ることなく、また、カバー開放時に内部機構が露出することのない、小型の機器に適したスライドカバー装置およびこれを用いたおよび携帯端末装置を提供することが可能となる。
【発明を実施するための最良の形態】
【００１８】
以下、本発明のスライドカバー装置を用いた携帯端末装置の好適な実施の形態について詳細に説明する。
【００１９】
図５は、本発明によるスライドカバー装置を用いたカメラ付き携帯電話端末装置１００の外観図を示している。図５（ａ）（ｂ）はそれぞれカバー閉鎖状態での端末装置の左側面図および斜視図を示し、図５（ｃ）（ｄ）はそれぞれカバー開放状態での端末装置の左側面図および斜視図を示している。なお、ここでは、実際の端末装置の正面とは関わりなく、便宜上、カメラ部５３（のレンズ）が面する側を端末装置の正面とみなしている。
【００２０】
カバー閉鎖位置において、内蔵のカメラ部５３がカバー５１により遮蔽されて保護されるようになっている。カバー５１を閉鎖位置から開放位置へ移動させると、カメラ部５３が露出される。このとき、カバー閉鎖状態ではカバー５１の表面の面位置は隣接する固定の筐体表面部材５５の表面の面位置と一致している。すなわち、図５（ａ）の側面図から分かるように、カバー閉鎖位置では、カバー５１は製品の筐体面から突出することなく、フラットな配置となっている。なお、フラットといっても、カバー５１表面に若干のデザイン曲面は存在しうる。図５（ｃ）（ｄ）から分かるように、カバー閉鎖状態からカバー開放状態へ移行する際に、カバー５１は筐体表面部材５５の上に乗り上げた状態となる。
【００２１】
カバー開放位置において、カバー５１は端末装置１００スライド方向全長の約半分のスライド動作量を確保しており、且つ、使用者からは閉鎖位置および開放位置のいずれの位置においても、スライド機構等の内部の機構部品は見えない。
【００２２】
ここで、図６に示すように、端末装置１００全体のうち、本発明のスライドカバー装置５０の部分のみを取り出し、以降説明する。
【００２３】
図７に、スライドカバー装置５０の全体構成の分解斜視図を示す。
【００２４】
カバー部６０は、表面が若干湾曲した平板状のカバー５１と、カバー５１をその裏面の両側部で支持しカバー両側に沿って伸びる１対のアーム部材６３を有する。アーム部材６３はカバー５１とつながる基部と、その基部からカバー側部に沿って延びるカンチレバー状の自由端部を有している。アーム部材６３はその自由端部の先端がカバー５１の端部にほぼ達する位置にまで延びている。この１対のアーム部材６３とカバー５１との間にクリアランス（空間）６７が形成されている。更に、各アーム部材６３の外側壁面の長手方向両端近傍に「突起部」としての円柱突起（ボス）６１が２箇所設けられている。１対のアーム部材６３では合計４箇所の円柱突起６１がある。このようなカバー部６０の各部は、合成樹脂などにより一体成形することができるが、別途形成された複数の部品を事後的に結合する構成であってもよい。
【００２５】
ケース７０は、１対のアーム部材６３を予め定められたスライド経路に従ってスライド可能に支持するフレーム部を構成する。ケース７０は、閉鎖位置にあるカバー５１と隣接して固定され、カバー表面と同じ面位置の表面を有する筐体表面部材５５を有する。ケース７０には、カバー５１を閉鎖位置から開放位置へ移行させるとき、１対のアーム部材６３が筐体表面部材５５の下側に滑り込むとともに、カバー５１が前記筐体表面部材の上に乗り上げるよう、スライド経路としてフレーム側壁７２の内側壁面にカム溝７１が形成されている。カム溝７１はケース７０の片側に円柱突起６１の１個当たりに１個（計２個）、両側で計４個形成されている。各カム溝７１は、１対のアーム部材６３の対応する円柱突起６１を収納して案内する。
【００２６】
カバー５１をケース７０に結合する際、アーム部材６３の各円柱突起６１が対応するカム溝７１に挿入され、スライド運動可能に連結される。カム溝７１のスライド経路は、カバー５１が閉鎖位置から開放位置へ移行する際、カバー５１を斜め上方に一旦浮上させたあと、筐体表面部材５５の表面に平行に移動させるよう形成される。カム溝７１は壁面を貫通するものを示したが、有底の溝として壁面内側のみに存在するものであってもよい。
【００２７】
カメラ部５３は、カバー５１の裏側において、１対のアーム部材６３およびケース７０のカム溝７１の間に配置される。１対のアーム部材６３（およびカム溝７１）の間隔はカメラのサイズに対応させて決定する。
【００２８】
本実施の形態におけるアーム部材６３およびカム溝７１の構造は、スライドカバー装置５０の側部、すなわち端末の組み立て時にカメラ部５３の側壁に沿う位置に設置される。したがって、カメラ部５３自体の厚み内で構成される限り、アーム部材とカム溝の構造を含むスライドカバー装置５０の厚みの大半をカメラ部５３の厚さに吸収させることができる。これにより、端末装置の厚さを薄くすることができる。
【００２９】
図８にカバー５１とケース７０の嵌合の様子を示す。ケース７０はカム溝７１が構成される各側壁７２の二箇所（計４箇所）に切り欠き７２ａがあり、カバー５１のアーム部材６３の円柱突起６１を切り欠き７２ａの箇所から嵌め込む。カバー５１は強度確保のために高剛性の材料を使用するのが望ましいが、ケース７０は樹脂等の嵌合時に撓む材料を使用することが好ましい。ただし、嵌合用切り欠き７２ａはカバー５１の動作ストローク途中位置で構成されるため、カバー５１閉鎖時、開放時の位置には関与せず、カバー５１とケース７０の嵌合が使用中に容易に解かれることは無い。
【００３０】
図９、図１０に、本実施の形態のスライドカバー装置５０の動作概念を説明する。
【００３１】
図９（ａ）はスライドカバー装置５０の閉鎖状態の斜視図、図９（ｂ）はその側面図、図９（ｃ）は円柱突起６１の中心を通過する図９（ｂ）のＪ−Ｊ断面図である。
【００３２】
図１０（ａ）はスライドカバー装置５０の開放状態の斜視図、図１０（ｂ）はその側面図、図１０（ｃ）は図１０（ｂ）のＫ−Ｋ断面図である。
【００３３】
カバー５１の円柱突起６１はケース７０のカム溝７１内に係合状態で規制され、カバー閉鎖時にはカム溝７１の端部（閉鎖位置ストッパー）により停止する。図９（ｃ）から分かるように、カム溝７１に円柱突起６１が嵌合するとともに、カバー５１のアーム部材６３の間隔が幅ｇで規制されており、アーム部材６３の弾性力と相俟ってアーム部材６３ひいてはカバー５１のガタツキを最小限に抑える構造になっている。
【００３４】
使用者が図１０の矢印５６方向に外力を印加すると、カバー５１はカム溝７１に沿ってスライド動作を行う。カバー５１は規定の上昇量ｈ分、カム溝７１により浮上した後に、水平方向スライドを続け、規定のストローク量を動作の後、開放位置ストッパーであるカム溝７１の他端に円柱突起６１が当接することにより停止する。図１０（ｃ）に示した、カバー５１の開放位置においても、円柱突起６１の幅ｇでの嵌合状態は不変であり、カバー５１のガタツキが抑制される。
【００３５】
図１０（ｂ）によく現れているように、カバー５１のスライド方向におけるサイズは筐体表面部材５５の同方向サイズより若干大きく設定されている。これにより、１つのアーム部材６３の２個の柱状突起６１は、二つのカム溝７１にまたがって装着される。また、柱状突起６１は、図９（ｂ）等から分かるように、筐体表面部材５５側のカム溝７１の傾斜した一端側は閉鎖状態のカバー５１の一端直下まで延びている。この構造により、アーム部材６３をカバー５１以上に長くする必要なく、閉鎖状態におけるカバー５１は筐体表面部材５５と同じ表面位置を保つことができる。
【００３６】
図１１および図１２によりスライドカバー装置５０の強度について説明する。図１１（ａ）はカバー閉鎖状態の斜視図、図１１（ｂ）はその側面図、図１１（ｃ）はＭ−Ｍ断面図である。図１２（ａ）はカバー開放状態の斜視図、図１２（ｂ）はその側面図、図１２（ｃ）はＰ−Ｐ断面図である。
【００３７】
Ｐ−Ｐ断面図において、カバー５１は開放位置において開放状態にあるが、カバー５１のアーム部材６３に隣接して存在するクリアランス６７に、ケース７０の天井部を構成する筐体表面部材５５が入り込む構造となっている。このような構造により、カバー５１の先端部を剥離させようとする外力Ｒが印加された場合でも、アーム部材６３の先端部６３ａが外力Ｒに強固に抵抗する。
【００３８】
このように、アーム部材６３および側壁７２のカム溝７１の構造により、スライド方向の装置全長の約半分のスライドストロークを確保しながらも、内部機構を外部に露出することなく、カバー５１の部品長を有効に利用した強度確保を実現している。
【００３９】
図１３は、１対のアーム部材６３に対してカバー５１の閉鎖位置方向へ常時付勢力を与えるとともにカバー閉鎖位置でカバー５１をロックする付勢・ロック機構を付加したスライドカバー装置５０の分解斜視図を示す。この図は、スライド方向を軸として１８０度回転させて、その裏側（内部）を見せた図である。
【００４０】
筐体表面部材５５の裏面には、回転レバー７７が回転軸としての支柱７３に回転可能に支持され、かつ、同じく筐体表面部材５５の裏面に形成された突起であるバネ支持部７５で支持されたトーションバネ７４が配置される。トーションバネ７４の一端７４ａは筐体に固定され、他端７４ｂはバネの付勢力を作用させるために、回転レバー７７の一部であるバネ引っ掛け爪に係止される。これにより、回転レバー７７には図１３において支柱７３上で反時計方向Ｒ１の回転力が与えられる。回転レバー７７のレバー先端部７９はカバー５１のアーム部材６３の先端に当接する。これにより、バネ７４の力はカバー５１を閉鎖方向へと自動復帰させる方向に働く。
【００４１】
アーム部材６３の先端近くの内側壁面には、クリック感をもたらすための係合部としての凹部（切り欠き形状部）６５が形成されている。
【００４２】
このような付勢・ロック機構は常時筐体表面部材５５の裏面に位置しているので使用者の目に触れることはない。また、常時筐体表面部材５５の裏面に常時位置していても、カバー開放時にカバー部６０が筐体表面部材５５の裏面に及ぶ部分は、カバー両側部にある両アーム部材６３のみなので、カバー部５０が付勢・ロック機構と干渉することはない。
【００４３】
なお、回転レバー７７は、その先端部７９とは逆方向に突出した連結用アーム７６を有している。この場合、回転レバーは単一個のみ用いた。したがって、カバー部６０のアーム部材６３と、回転レバー７７との間の力の伝達は、片側のアーム部材６３のみで行われた。これに対して、図１５の変形例に示すように、一方のアーム部材６３に関与する回転レバー７７に加えて、他方のアーム部材６３と関与するもう一つの回転レバーとして回転レバー７７と同様構成の従動レバー８７を追加してもよい。回転レバー７７と従動レバー８７は、それらの先端部７９，８９とは逆の方向に突出した連結用アーム７６，８６のリンク部８４において互いに回転可能に連結される。また、このように連結することにより、バネ７４は両回転レバーに共用することが可能となる。勿論、回転レバー７７とバネ７４およびバネ支持部７５との組み合わせを二組用意して、それぞれを両側のアーム部材６３に作用させるようにしてもよい。その場合には連結用アーム７６，８６は不要となる。
【００４４】
図１４により、カバーロック機構の動作原理の概要を説明する。図１４（ａ）〜図１４（ｄ）は、本実施の形態におけるカバーの閉鎖状態から開放状態までの時系列のスライド動作の過程を示している。
【００４５】
図１４（ａ）はカバー閉鎖状態を示している。この状態において使用者が外力Ｆ１４をカバー５１に印加してスライド動作を開始させる。このとき、アーム部材６３の先端部が回転レバー７７のレバー先端部７９の側部に当接しているので、アーム部材６３がその長手方向に移動することにより、回転レバー７７をバネ力に抗して押圧して回転させる。この時、外力Ｆ１４を除去するとカバー５１はバネ７４の力により初期位置（閉鎖位置）へ自動復帰する。更に外力の印加を継続し、カバー５１が図１４（ｂ）の位置まで到達すると、回転レバー７７は同図に示す位置まで回転する。この時の外力Ｆ１５を除去すると、やはりカバー５１は閉鎖位置にまで自動復帰する。
【００４６】
しかし、使用者が更に継続してカバー５１に外力Ｆ１６を印加すると、回転レバー７７はさらに回転して、図１４（ｃ）に示すように、回転レバー７７のレバー先端部７９がアーム部材６３の側面上に乗り上げる形となる。レバー先端部７９がアーム部材６３の側面上に乗り上げた時点では、カバー５１はバネ７４の力によっても閉鎖位置への自動復帰はしなくなる。
【００４７】
最終的に図１４（ｄ）に示す外力Ｆ１７により回転レバー７７は安定位置に到達し、外力Ｆ１７を除去しても、カバー５１は開放位置で停止したままとなる。この時、回転レバー７７の先端部が、アーム部材６３に設けられた係合部としての凹部（切り欠き形状部）６５に落ち込む（嵌合する）。これにより、アーム部材６３がスライド経路上で位置決めされるとともに、この時に発生する微細な衝撃が使用者に対して操作上のクリック感を発生させる。これにより、使用者はカバー５１がフルストローク移動してロック位置に達したことを認識し、押圧力を解除してもカバー５１が戻らないことが分かる。
【００４８】
カバー開放状態からカバー閉鎖状態に復帰する際には、図１４（ａ）〜図１４（ｄ）と逆の手順を辿る。すなわち、図１４（ｄ）の開放状態において、使用者がカバー５１に対して閉鎖する方向に力を加えると、回転レバー７７の先端がアーム部材６３の凹部６５が脱出し、図１４（ｃ）のようにアーム部材６３に乗り上げた状態となる。さらに使用者がそのような押圧を続けるとアーム部材６３の側面上への乗り上げていた回転レバー７７の先端が図１４（ｂ）のように再びアーム部材６３の先端に当接する状態に戻る。この状態にまで戻ると、使用者がそれ以降力を加えなくてもバネ７４の力によりカバー５１はその閉鎖位置まで自動的に復帰する。図１４（ｄ）から図１４（ｂ）までのカバー５１の移動距離はカバーの閉鎖時の全ストロークの一部（図の例ではほぼ半分程度）でよい。
【００４９】
以上説明したように、本実施の形態によれば、装置筐体面から突出したカバー構造を採ることなくフラットな意匠を実現させ、使用者の使い勝手を損なうこと無く、ポケットヘの引っかかりや破損の不安感を解消することができる。
【００５０】
また、カメラの側壁に沿うスライド構造およびカム構造を設けることにより、カメラ厚み以上に機構部が装置全体厚みに影響を与えることなく、カバースライド方向の装置全長の約半分のスライドストロークを確保することができる。
【００５１】
装置外部からの視点では、主な取付け・動作機構部を露出させることなく、カバーおよびケースの２点構成のみでカバーの閉鎖・開放の全動作を実現することができる。
【００５２】
また、取り付け後のガタツキ精度を確保し、開放時のカバー剥離強度を確保している。
【００５３】
さらに、カメラサイズ、他のデバイスサイズ等に拘束を受けることなく、筐体面上で  フラットなスライドカバー装置を搭載する条件に容易に採用可能である。
【００５４】
本発明は携帯電話端末に限るものではなく、各種ポータブル機器に適用可能である。その結果、当該各種機器の商品化において、以下の効果を奏する。
（１）ビジネス拡大：使用者に新しい意匠提供、利便性を主張可能である。
（２）材料費削減：カシメ、ネジ、補助強度部材等は不要であり、主要な２点構成のみで完結可能である。
（３）設計期間削減：最小部品点数構成により、設計工数削減に直結する。
（４）評価・確認工数削減
（５）安定した組立品質および市場品質
（６）応用、派生展開容易
【００５５】
以上、本発明の好適な実施の形態について説明したが、上記で言及した以外にも種々の変形、変更を行うことが可能である。例えば、携帯電話端末を例に説明したが、本発明は任意の小型装置に適用可能である。また、図１３に示した付勢・ロック機構はあくまで例示であり、上記のものに限るものではなく、また本発明において必須の要素でもない。
【図面の簡単な説明】
【００５６】
【図１】従来技術におけるデジタルカメラの従来例の機構構成の概念図である。
【図２】携帯電話端末における従来例の機構構成の概念図である。
【図３】従来のデジタルカメラに類似する装置の説明図である。
【図４】図３の装置と基本的に同一の構造を使用して、カメラを搭載した携帯電話端末に相当する装置の説明図である。
【図５】本発明によるスライドカバー装置を用いたカメラ付き携帯電話端末装置１００の外観図を示す図である。
【図６】図５の端末装置全体のうち、本発明のスライドカバー装置の部分を示す図である。
【図７】本発明の実施の形態に係るスライドカバー装置の全体構成の分解斜視図を示す図である。
【図８】本発明の実施の形態に係るスライドカバー装置のカバーとケースの嵌合の様子を示す図である。
【図９】本発明の実施の形態に係るスライドカバー装置の動作概念を説明するための図である。
【図１０】本発明の実施の形態に係るスライドカバー装置の動作概念を説明するための他の図である。
【図１１】本発明の実施の形態に係るスライドカバー装置の強度を説明するための図である。
【図１２】本発明の実施の形態に係るスライドカバー装置の強度を説明するための他の図である。
【図１３】本発明の実施の形態において、付勢・ロック機構を付加したスライドカバー装置の分解斜視図である。
【図１４】図１３のカバーロック機構の動作原理の概要を説明するための図である。
【図１５】図１３のカバーロック機構の変形例を示した図である。
【符号の説明】
【００５７】
５０…スライドカバー装置、５１…カバー、５３…カメラ部、５５…筐体表面部材、５６…矢印、６０…カバー部、６１…円柱突起、６３…アーム部材、６３ａ…先端部、６５…凹部、６７…クリアランス、７０…ケース（フレーム部）、７１…カム溝、７２…フレーム側壁、７３…支柱、７４…トーションバネ、７４ａ…一端、７４ｂ…他端、７５…バネ支持部、７６…連結用アーム、７７…回転レバー、７９…レバー先端部、１００…携帯電話端末装置
【図１】
2009272908.tif 000003
【図２】
2009272908.tif 000004
【図３】
2009272908.tif 000005
【図４】
2009272908.tif 000006
【図５】
2009272908.tif 000007
【図６】
2009272908.tif 000008
【図７】
2009272908.tif 000009
【図８】
2009272908.tif 000010
【図９】
2009272908.tif 000011
【図１０】
2009272908.tif 000012
【図１１】
2009272908.tif 000013
【図１２】
2009272908.tif 000014
【図１３】
2009272908.tif 000015
【図１４】
2009272908.tif 000016
【図１５】
2009272908.tif 000017